(57)【要約】受信装置（２）は、チューナユニット（１），（３）と、回路基板（２１）とを備える。チューナユニット（１）は、コネクタ（１１）とチューナ基板（１２）と、これらを収納する筐体（１３）とを備えている。チューナ基板（１２）は、コネクタ（１１）の接続方向（矢印Ｐ方向）と直交する高さ寸法Ｌの範囲内に配置されている。また、筐体（１３）には凹部（１４１Ｂ）が形成されており、この凹部（１４１Ｂ）に配置された回路基板（２１）もコネクタ（１１）の接続方向（矢印Ｐ方向）と直交する高さ寸法Ｌの範囲内に位置する。
2004077689.tif 000002
【特許請求の範囲】
【請求項１】
回路基板に取り付けられ、異なる複数の周波数信号を含む信号の中から所定の周波数信号を同調させ、その信号を前記回路基板に出力するチューナユニットであって、
異なる複数の周波数信号を入力するためのコネクタと、
このコネクタに入力した信号の同調処理を行う回路素子が実装されるとともに、処理した信号を前記回路基板に出力する端子が設けられたチューナ基板とを備え、
前記コネクタは、前記チューナ基板の基板面に沿った方向が接続方向となるように前記チューナ基板の端部に設けられ、
前記チューナ基板は、前記コネクタの接続方向に直交する高さ寸法の範囲内に配置されることを特徴とするチューナユニット。
【請求項２】
請求項１に記載のチューナユニットにおいて、
前記端子は、前記チューナ基板の面外方向が接続方向とされており、
チューナ基板を収納し、前記コネクタ及び前記端子を露出する筐体を備え、
この筐体には、前記端子が露出する部分に内側にへこむ凹部が形成され、前記凹部に回路基板が配置されると、この回路基板は、コネクタの前記高さ寸法の範囲内に位置することを特徴とするチューナユニット。
【請求項３】
請求項１又は請求項２に記載のチューナユニットにおいて、
前記コネクタとは別の他のコネクタを備え、
前記チューナ基板には、この他のコネクタに入力される信号を前記回路基板に直接出力する回路及び端子を備えた経路、或いは、前記回路基板からの信号を他のコネクタに出力する回路及び端子を備えた経路が形成されていることを特徴とするチューナユニット。
【請求項４】
請求項１から請求項３の何れかに記載のチューナユニットにおいて、
前記コネクタは、テレビ無線波受信用のＦ型コネクタであることを特徴とするチューナユニット。
【請求項５】
異なる複数の周波数信号を含む信号の中から所定の周波数信号を同調させ、その信号を回路基板に出力するチューナユニットを備えた電子機器であって、
前記チューナユニットは、異なる複数の周波数信号を入力するためのコネクタと、
このコネクタに入力した信号の同調処理を行う回路素子が実装されるとともに、処理した信号を前記回路基板に出力する端子が設けられたチューナ基板とを備え、
前記コネクタは、前記チューナ基板の基板面に沿った方向が接続方向となるように前記チューナ基板の端部に設けられ、
前記チューナ基板は、前記コネクタの接続方向に直交する高さ寸法の範囲内に配置されることを特徴とする電子機器。
【請求項６】
異なる複数の周波数信号を含む信号の中から所定の周波数信号を同調させ、その信号を処理して外部出力する受信装置であって、
同調処理を行うチューナユニットと、
このチューナユニットが取り付けられ、チューナユニットからの信号を処理するための回路素子が実装された回路基板とを備え、
前記チューナユニットは、異なる複数の周波数信号を入力するためのコネクタと、
このコネクタに入力した信号の同調処理を行う回路素子が実装されるとともに、処理した信号を前記回路基板に出力する端子が設けられたチューナ基板と、
このチューナ基板を収納し、前記コネクタ及び前記端子を露出する筐体とを備え、
前記コネクタは、前記チューナ基板の基板面に沿った方向が接続方向となるように前記チューナ基板の端部に設けられ、
前記チューナ基板は、前記コネクタの接続方向に直交する高さ寸法の範囲内に配置され、
前記端子は、前記チューナ基板の面外方向が接続方向とされ、
前記筐体には、端子が露出する部分に内側にへこみ、前記回路基板が配置される凹部が形成され、
この凹部に配置された前記回路基板は、前記コネクタの前記高さ寸法の範囲内に位置することを特徴とする受信装置。
【請求項７】
請求項６に記載の受信装置において、
前記チューナユニット及び前記回路基板とを収納する外装体を備え、
前記筐体は、前記チューナ基板の表裏面を覆う一対のカバー部を備えたカバー部材と、このカバー部材の一対のカバー部間に配置されるとともに、前記チューナ基板を囲み、前記コネクタが取り付けられるフレーム部材とを備え、
前記フレーム部材は、前記チューナ基板に沿って延びる延出部を有し、
前記外装体には、前記チューナ基板に直交する方向に延びるとともに、少なくとも一方の前記カバー部を貫通し、前記筐体内部に挿入されるボス部が形成され、
前記フレームの延出部及び前記カバー部材は、前記ボス部に固定されることを特徴とする受信装置。
【請求項８】
請求項６又は請求項７に記載の受信装置において、
前記チューナユニットは、前記コネクタとは別の信号を入力するための他のコネクタを備え、
前記チューナ基板には、この他のコネクタに入力される信号を前記回路基板に直接出力する回路及び端子を備えた経路が形成され、
前記回路基板には、この経路を介して入力される信号の同調処理を行う同調処理回路が設けられていることを特徴とする受信装置。
【請求項９】
請求項８に記載の受信装置において、
前記同調処理回路は、ユニット化されたものであることを特徴とする受信装置。
【請求項１０】
請求項８又は請求項９に記載の受信装置において、
前記チューナユニット及び前記同調処理回路は、互いに異なる放送方式の信号の同調処理を行うことを特徴とする受信装置。
【請求項１１】
請求項６又は請求項７に記載の受信装置において、
前記チューナユニットは、前記コネクタとは別の他のコネクタを備え、
前記チューナ基板には、前記回路基板からの信号を他のコネクタに出力する回路及び端子を備えた経路が形成され、
前記回路基板には、分配回路が設けられていることを特徴とする受信装置。
【請求項１２】
異なる複数の周波数信号を含む信号の中から所定の周波数信号を同調させ、その信号を処理して外部出力する受信装置を備えた電子機器であって、
前記受信装置は、同調処理を行うチューナユニットと、
このチューナユニットが取り付けられ、チューナユニットからの信号を処理するための回路素子が実装された回路基板とを備え、
前記チューナユニットは、異なる複数の周波数信号を入力するためのコネクタと、
このコネクタに入力した信号の同調処理を行う回路素子が実装されるとともに、処理した信号を前記回路基板に出力する端子が設けられたチューナ基板と、
このチューナ基板を収納し、前記コネクタ及び前記端子を露出する筐体とを備え、
前記コネクタは、前記チューナ基板の基板面に沿った方向が接続方向となるように前記チューナ基板の端部に設けられ、
前記チューナ基板は、前記コネクタの接続方向に直交する高さ寸法の範囲内に配置され、
前記端子は、前記チューナ基板の面外方向が接続方向とされ、
前記筐体には、端子が露出する部分に内側にへこみ、前記回路基板が配置される凹部が形成され、
この凹部に配置された前記回路基板は、前記コネクタの前記高さ寸法の範囲内に位置することを特徴とする電子機器。
【発明の詳細な説明】
【技術分野】  本発明は、チューナユニット及びこのチューナユニットを備えた受信装置、電子機器に関する。
【背景技術】  従来、デジタル衛星放送、デジタル地上波放送等の放送を受信する受信装置８が使用されている。この受信装置８は、図７に示すように、異なる複数の周波数信号を含む信号を入力するためのコネクタ７１及びこのコネクタ７１からの信号を同調処理するチューナ基板７２を備えたチューナユニット７と、このチューナユニット７が取り付けられる回路基板８１とを備えた構成となっている。チューナユニット７は、コネクタ７１の接続方向（矢印Ｐ方向）とチューナ基板７２の基板面とが平行になるように、チューナ基板７２に対しコネクタ７１を積み上げ、これらを筐体７４に収納することで組み立てられ、また、受信装置８は、このようにして組み立てられたチューナユニット７を回路基板８１に積み上げ、これらを外装体８２に収納することで組み立てられている。
近年、受信装置８及びチューナユニット７の薄型化の要求が高まっているが、このような組み立て方法で組み立てられたチューナユニット７の高さ寸法Ｌ１（筐体７４の高さ寸法）は、少なくともコネクタ７１の接続方向に直交する高さ寸法と、チューナ基板７２の高さ寸法を合わせた寸法、また、受信装置８の高さ寸法Ｌ２（外装体８２の高さ寸法）は、少なくとも前記チューナユニット７に、回路基板８１の高さ寸法を合わせた寸法となり、薄型化を図ることが困難であるという問題がある。
本発明の目的は、薄型化を図ることができるチューナユニット及びこのチューナユニットを備えた受信装置を提供することである。
【発明の開示】
本発明のチューナユニットは、回路基板に取り付けられ、異なる複数の周波数信号を含む信号の中から所定の周波数信号を同調させ、その信号を前記回路基板に出力するチューナユニットであって、異なる複数の周波数信号を入力するためのコネクタと、このコネクタに入力した信号の同調処理を行う回路素子が実装されるとともに、処理した信号を前記回路基板に出力する端子が設けられたチューナ基板とを備え、前記コネクタは、前記チューナ基板の基板面に沿った方向が接続方向となるように前記チューナ基板の端部に設けられ、前記チューナ基板は、前記コネクタの接続方向に直交する高さ寸法の範囲内に配置されることを特徴とする。
この構成の本発明によれば、チューナ基板は、コネクタの接続方向に直交する高さ寸法の範囲内に配置されているため、従来のチューナ基板に対してコネクタを積み上げる構成に比べ、チューナユニットの高さ寸法を低くすることが可能となる。これにより、チューナユニットの薄型化を図ることができる。
この際、前記端子は、前記チューナ基板の面外方向が接続方向とされており、チューナ基板を収納し、前記コネクタ及び前記端子を露出する筐体を備え、この筐体には、前記端子が露出する部分に内側にへこむ凹部が形成され、前記凹部に回路基板が配置されると、この回路基板は、コネクタの前記高さ寸法の範囲内に位置することが好ましい。
この発明によれば、筐体に凹部が形成されており、この凹部に回路基板を配置した際には、回路基板はコネクタの接続方向に直交する高さ寸法の範囲内に位置する。従って、このようなコネクタユニットを使用すれば、回路基板を設置した状態においても薄型化を図ることができる。
ここで、外部からの信号を入力または外部へ信号を出力するためのコネクタと、このコネクタに接続されて、当該コネクタから入力された信号または当該コネクタから出力する信号を処理する信号処理部と、この信号処理部が実装された基板とを備えた信号処理ユニットであって、前記コネクタとは異なる他のコネクタを備え、前記基板上には、前記他のコネクタと、当該信号処理ユニットの外部の回路部とを接続する経路が形成されていることを特徴とする信号処理ユニットが考えられる。従来、信号処理ユニットには、この信号処理ユニットの基板上に設置された信号処理部に予め接続され、所定の信号を入力、或いは出力するコネクタのみが搭載されていたため、他の信号を入力或いは出力しようとする際には、新たに他のコネクタを設ける必要があり、手間を要していた。これに対し、前記提案のような信号処理ユニットは、基板に形成された経路を介して外部の回路部に接続される他のコネクタを備えているため、他のコネクタを搭載する手間を省くことができる。
そして、このような信号処理ユニットは、チューナユニットとしても成立し、前述したようなチューナユニットに適用することも可能である。すなわち、以下のような構成が提案できる。
上述した何れかのチューナユニットにおいて、前記コネクタとは別の他のコネクタを備え、前記チューナ基板には、この他のコネクタに入力される信号を前記回路基板に直接出力する回路及び端子を備えた経路、或いは、前記回路基板からの信号を前記他のコネクタに出力する回路及び端子を備えた経路が形成されていることを特徴とする。
他のコネクタに入力される信号を回路基板に直接出力する経路がチューナ基板に形成されている場合には、例えば、コネクタを持たない他のチューナユニット等を回路基板に搭載し、回路基板を介して他のチューナユニットに他のコネクタからの信号を入力することができる。従って、本発明のチューナユニットを使用すれば、コネクタを持たない他のチューナユニットを回路基板に搭載する場合に、信号入力用のコネクタを新たに設置する必要がなく、コネクタ設置の手間を省くことができる。
また、チューナ基板に、回路基板からの信号を他のコネクタに出力する回路及び端子を備えた経路が形成されている場合には、回路基板に分配回路を持たせれば、他のコネクタを信号出力用に利用することができる。そのため、出力用のコネクタを新たに設置する必要がなくなり、出力用のコネクタ設置の手間を省くことができる。
この際、コネクタは、テレビ無線波受信用のＦ型コネクタであることが好ましい。
また、ここで、回路基板に取り付けられ、この回路基板とともに外装体に収納されるチューナユニットであって、異なる複数の周波数信号を入力するためのコネクタと、このコネクタに入力した信号の同調処理を行う回路素子が実装されるとともに、処理した信号を前記回路基板に出力する端子が設けられたチューナ基板と、このチューナ基板を収納し、前記コネクタ及び端子を露出する筐体とを備え、前記筐体は、前記外装体に設けられるとともに、前記チューナ基板に直交する方向に延びて筐体内部に挿入されるボス部に固定されることを特徴とするチューナユニットが提案できる。このチューナユニットの構成は、前述したチューナユニットに適用することができるが、このチューナユニット単独でも発明として成立しうるものである。従来、外装体と、チューナユニットとの固定は、チューナ基板に平行な方向から固定部材を挿入して固定していたが、この場合には、外装体の側方から固定することとなるので、固定しにくいという問題がある。これに対し、上述したチューナユニットは、チューナ基板と直交するボス部に固定部材等を挿入して固定することができるので、外装体の上方側から固定作業を行うことができ、固定作業が容易化される。
本発明の電子機器は、異なる複数の周波数信号を含む信号の中から所定の周波数信号を同調させ、その信号を回路基板に出力するチューナユニットを備えた電子機器であって、前記チューナユニットは、異なる複数の周波数信号を入力するためのコネクタと、このコネクタに入力した信号の同調処理を行う回路素子が実装されるとともに、処理した信号を前記回路基板に出力する端子が設けられたチューナ基板とを備え、前記コネクタは、前記チューナ基板の基板面に沿った方向が接続方向となるように前記チューナ基板の端部に設けられ、前記チューナ基板は、前記コネクタの接続方向に直交する高さ寸法の範囲内に配置されることを特徴とする。
本発明によれば、電子機器は、前述した薄型化を図ることができるチューナユニットを備えるため、電子機器自体の薄型化も図ることができる。
本発明の受信装置は、異なる複数の周波数信号を含む信号の中から所定の周波数信号を同調させ、その信号を処理して外部出力する受信装置であって、同調処理を行うチューナユニットと、このチューナユニットが取り付けられ、チューナユニットからの信号を処理するための回路素子が実装された回路基板とを備え、前記チューナユニットは、異なる複数の周波数信号を入力するためのコネクタと、このコネクタに入力した信号の同調処理を行う回路素子が実装されるとともに、処理した信号を前記回路基板に出力する端子が設けられたチューナ基板と、このチューナ基板を収納し、前記コネクタ及び前記端子を露出する筐体とを備え、前記コネクタは、前記チューナ基板の基板面に沿った方向が接続方向となるように前記チューナ基板の端部に設けられ、前記チューナ基板は、前記コネクタの接続方向に直交する高さ寸法の範囲内に配置され、前記端子は、前記チューナ基板の面外方向が接続方向とされ、前記筐体には、端子が露出する部分に内側にへこみ、前記回路基板が配置される凹部が形成され、この凹部に配置された前記回路基板は、前記コネクタの前記高さ寸法の範囲内に位置することを特徴とする。
この構成の本発明によれば、受信装置のチューナユニットは、チューナ基板が、コネクタの接続方向に直交する高さ寸法の範囲内に配置されているため、従来のように、チューナ基板に対し、コネクタを積み上げる構成に比べ、高さ寸法を低くすることができる。これにより、チューナユニットの薄型化を図ることができ、また、このチューナユニットを備えた受信装置の薄型化も図ることができる。
さらに、チューナユニットには凹部が形成されており、この凹部に配置された回路基板は、コネクタの接続方向に直交する高さ寸法の範囲内に位置しているので、回路基板を配置することによる高さ寸法の増加を防止することができ、受信装置のさらなる薄型化を図ることができる。このように本発明の受信装置は、薄型のものとなるため、例えば、ポータブル製品等に利用することができる。
この際、前記チューナユニット及び前記回路基板とを収納する外装体を備え、前記筐体は、前記チューナ基板の表裏面を覆う一対のカバー部を備えたカバー部材と、このカバー部材の一対のカバー部間に配置されるとともに、前記チューナ基板を囲み、前記コネクタが取り付けられるフレーム部材とを備え、前記フレーム部材は、前記チューナ基板に沿って延びる延出部を有し、前記外装体には、前記チューナ基板に直交する方向に延びるとともに、少なくとも一方の前記カバー部を貫通し、前記筐体内部に挿入されるボス部が形成され、前記フレームの延出部及び前記カバー部材は、前記ボス部に固定されることが好ましい。
チューナユニットを外装体に固定する際には、外装体のボス部を上方に向け、このボス部の上側からチューナユニットを外装体内に組み込み、チューナユニットの筐体のカバー部側（上方側）からこのボス部に固定部材、例えばビス等を挿入して、固定することができる。このように、上方側から固定部材で固定することができるので、固定作業を容易に行うことができる。
また、ボス部はカバー部を貫通し、筐体内部に挿入されるため、外装体に対するチューナユニットの筐体の取付位置を容易に決定することができる。
この際、前記チューナユニットは、前記コネクタとは別の信号を入力するための他のコネクタを備え、前記チューナ基板には、この他のコネクタに入力される信号を前記回路基板に直接出力する回路及び端子を備えた経路が形成され、前記回路基板には、この経路を介して入力される信号の同調処理を行う同調処理回路が設けられていることが好ましい。
本発明によれば、チューナユニットには、２つのコネクタが設けられており、このうちの一方のコネクタから入力された信号はチューナ基板で同調処理される。他のコネクタから入力された信号は、回路基板に直接入力され、回路基板上の同調処理回路で処理される。そのため、一つの受信装置において、２種類の異なる放送方式の信号を処理することが可能となる。
また、予めチューナユニットに二つのコネクタが設けられており、他のコネクタから入力された信号は回路基板に直接入力される構成であるため、回路基板には新たに信号入力用のコネクタを設ける必要がなく、受信装置の製造にかかる手間を省くことができる。
また、前記同調処理回路は、ユニット化されたものであることが好ましい。
同調処理回路がユニット化されていれば、回路基板への実装をより簡単に行うことができる。
さらに、前記チューナユニット及び前記同調処理回路は、互いに異なる放送方式の信号の同調処理を行うことが好ましい。
このような受信装置は、例えば、デジタル衛星放送、デジタル地上波放送の両方の受信に使用することが可能となる。
また、前記チューナユニットは、前記コネクタとは別の他のコネクタを備え、前記チューナ基板には、前記回路基板からの信号を他のコネクタに出力する回路及び端子を備えた経路が形成され、前記回路基板には、分配回路が設けられているものであってもよい。
このような受信装置では、回路基板に分配回路が設けられており、また、チューナ基板には、回路基板からの信号を他のコネクタに出力する回路及び端子を備えた経路が形成されているので、回路基板からの信号をチューナ基板に出力し、さらには、他のコネクタから出力することができる。このように、チューナユニットの他のコネクタは信号出力用のコネクタとなるため、受信装置に新たに信号出力用のコネクタを設ける必要がなく、受信装置の製造が容易化される。
本発明の電子機器は、異なる複数の周波数信号を含む信号の中から所定の周波数信号を同調させ、その信号を処理して外部出力する受信装置を備えた電子機器であって、前記受信装置は、同調処理を行うチューナユニットと、このチューナユニットが取り付けられ、チューナユニットからの信号を処理するための回路素子が実装された回路基板とを備え、前記チューナユニットは、異なる複数の周波数信号を入力するためのコネクタと、このコネクタに入力した信号の同調処理を行う回路素子が実装されるとともに、処理した信号を前記回路基板に出力する端子が設けられたチューナ基板と、このチューナ基板を収納し、前記コネクタ及び前記端子を露出する筐体とを備え、前記コネクタは、前記チューナ基板の基板面に沿った方向が接続方向となるように前記チューナ基板の端部に設けられ、前記チューナ基板は、前記コネクタの接続方向に直交する高さ寸法の範囲内に配置され、前記端子は、前記チューナ基板の面外方向が接続方向とされ、前記筐体には、端子が露出する部分に内側にへこみ、前記回路基板が配置される凹部が形成され、この凹部に配置された前記回路基板は、前記コネクタの前記高さ寸法の範囲内に位置することを特徴とする。
本発明によれば、前述した薄型化された受信装置を備えているため、この受信装置を有する電子機器自体の薄型化も図ることができる。
【図面の簡単な説明】  図１は、本発明の実施形態にかかる受信装置を示す斜視図である。
図２は、図１のＩＩ−ＩＩ方向の断面図である。
図３は、チューナユニットを示す斜視図である。
図４は、前記チューナユニットの分解斜視図である。
図５は、前記チューナユニットの断面図である。
図６は、前記受信装置を示す模式図である。
図７は、従来の受信装置を示す断面図である。
【発明を実施するための最良の形態】  以下に、本発明の実施形態を図面に基づいて説明する。
図１及び図２には、本発明の受信装置２を備えた電子機器５が示されている。ここで、電子機器５としては、テレビジョン装置や、ビデオ装置、ゲーム装置、パーソナルコンピュータ等が挙げられ、受信装置２は電子機器５に内蔵された構造となっている。なお、本実施形態では、電子機器５内部に受信装置２が内蔵される構成としたが、電子機器に外付けされる構成としてもよい。
受信装置２は、例えば、デジタル衛星放送及びデジタル地上波放送の受信に使用されるものであり、入力された異なる複数の周波数信号を含む信号の中から所定の周波数信号を同調させる処理等を行い、この処理された信号に基づいて映像信号、音声信号を生成し、電子機器５の表示部（例えば、ブラウン管等のディスプレイ）、音声部（例えば、スピーカ等）に出力する。
この受信装置２は、チューナユニット１と、チューナユニット３と、このチューナユニット１，３が取り付けられた回路基板２１と、これらを収納する外装体２２とを備えている。なお、図２は図１のＩＩ−ＩＩ方向の断面図であり、図１は、外装体２２を省略した構成となっている。
図３〜図５にチューナユニット１を示す。このチューナユニット１は入力された異なる複数の周波数信号を含む信号の中から所定の周波数信号を同調させる同調処理、増幅処理、信号を中間周波数に変換する周波数変換処理、復調処理等を行い、処理された信号を回路基板２１に出力するものである。
チューナユニット１は、異なる複数の周波数信号を入力するための２つのコネクタ１１と、チューナ基板１２と、このチューナ基板１２を収納する筐体１３とを備えている。
コネクタ１１は、テレビ無線波受信用のＦ型コネクタであり、アンテナ（図示略）で受信した信号を導く同軸ケーブル等が接続されるコネクタ本体１１１と、このコネクタ本体１１１から延びる略Ｌ字形のセンターピン１１２とを有している。
このコネクタ１１は、コネクタ本体１１１の同軸ケーブル等との接続方向（矢印Ｐ方向）がチューナ基板１２の基板面に沿うようにチューナ基板１２の端部に設けられている。
コネクタ本体１１１は、円柱形状の本体部１１１Ａと、本体部１１１Ａの一端に設けられ、平面円形形状の取付部１１１Ｂとを備えている。取付部１１１Ｂは、後述するフレーム部材１５の第一端面１５１の孔１５１Ａにかしめられる取付部本体１１１Ｃと、この取付部本体１１１Ｃよりも径が大きく第一端面１５１に当接する当接部１１１Ｄとを備えている。
センターピン１１２は、チューナ基板１２の長手方向の端部に接続されており、チューナ基板１２への信号の入力はこのセンターピン１１２を介して行われる。
二つのコネクタ１１は、同様の大きさ形状のものであるが、図３手前側のコネクタをコネクタ１１Ａ、図面奥側のコネクタをコネクタ１１Ｂとする。コネクタ１１Ａからはデジタル衛星（ＢＳ）放送用の信号が入力され、コネクタ１１Ｂからはデジタル地上波放送用の信号が入力される。
チューナ基板１２には、コネクタ１１Ａからの信号の同調処理、周波数変換処理、増幅処理、復調処理等の処理を行うＢＳチューナ部１０（図６参照）が設けられており、これらの処理を行うための回路素子１２２、さらには、処理した信号を回路基板２１に出力するための端子１２３が設けられている。この端子１２３の接続方向はチューナ基板１２の面外方向（チューナ基板１２に直交する方向）とされている。
また、チューナ基板１２には、コネクタ１１Ｂから入力される信号を回路基板２１へ出力するための回路、及び端子１２４も設けられている。この端子１２４の接続方向は端子１２３と同じであり、チューナ基板１２の面外方向（チューナ基板１２に直交する方向）とされている。
また、端子１２３，１２４と回路素子１２２はチューナ基板１２の同一平面（表面）上に設置されている。
このようなチューナ基板１２は平面略矩形形状であり、コネクタ１１が取り付けられる側の端部に平面矩形状に切りかかれた切り欠き部１２１が形成されている。
筐体１３は、チューナ基板１２の表裏面を覆う第一カバー部１４１及び第二カバー部１４２を有するカバー部材１４と、この第一カバー部１４１及び第二カバー部１４２間に配置されるとともに、チューナ基板１２を囲み、コネクタ１１が取り付けられるフレーム部材１５とを備えている。
フレーム部材１５は、チューナ基板１２の切り欠き部１２１が形成された短辺に沿って配置される第一端面１５１と、他方の短辺に沿って配置される第二端面１５２と、チューナ基板１２の長辺に沿って配置される第三端面１５３、第四端面１５４とを備えている。
第一端面１５１のチューナ基板１２直交方向の高さ寸法は、第二端面１５２の前記高さ寸法よりも長く、コネクタ１１の当接部１１１Ｄの接続方向（矢印Ｐ方向）と直交する高さ寸法と略等しくなっている（図５参照）。第一端面１５１にはコネクタ１１Ａ、１１Ｂを取り付けるための略円形形状の孔１５１Ａが形成されており、この孔１５１Ａにコネクタ１１Ａ，１１Ｂの取付部１１１Ｂの取付部本体１１１Ｃをかしめることで、コネクタ１１Ａ，１１Ｂが第一端面１５１に固定され、コネクタ１１Ａ，１１Ｂの本体部１１１Ａが筐体１３より露出する。
なお、フレーム部材１５は、チューナ基板１２を保持しており、フレーム部材１５に保持されるチューナ基板１２は、第一端面１５１に固定されたコネクタ１１の接続方向（矢印Ｐ方向）に直交する高さ寸法Ｌの範囲内に位置している（図５参照）。
第二端面１５２には、チューナ基板１２と反対側に突出した突起１５２Ａが形成されている。
第三端面１５３、第四端面１５４の第一端面１５１側の端部は、チューナ基板１２と反対側に向かって突出しており、この端部のチューナ基板１２直交方向の高さ寸法は、第一端面１５１の前記高さ寸法と略等しくなっている。
また、第三端面１５３、第四端面１５４には、第二端面１５２と同様に、チューナ基板１２と反対側に突出した突起１５３Ａ，１５４Ａが形成されている。この突起１５３Ａ，１５４Ａ、さらに、第二端面１５２の突起１５２Ａは、回路基板２１に形成された挿入孔（図示略）に挿入され、これにより、チューナユニット１が回路基板２１に固定される。
さらに、第三端面１５３、第四端面１５４の短辺方向の端部のうち、チューナ基板１２の回路部品実装面（表面）側に位置する端部間に跨って２本の連結部１５５が形成されている。この二本の連結部１５５のうち、第一端面１５１側の連結部１５５に向かって第一端面１５１から延出部１５６が延出している。
この延出部１５６は、第一端面１５１の短辺方向の端部からチューナ基板１２に略平行に延びる第一水平部１５６Ａと、この第一水平部１５６Ａからチューナ基板１２側に向かって延びる垂直部１５６Ｂとこの垂直部１５６Ｂからチューナ基板１２に略平行に延びる第二水平部１５６Ｃとを有している。
第一水平部１５６Ａには、円形状の孔１５６Ｄが形成されている。この孔１５６Ｄの径寸法は、後述するボス部２２４の径寸法よりも小さなものとなっている。
カバー部材１４は、チューナ基板１２の表面側を覆う第一カバー部１４１と、チューナ基板１２の裏面側を覆う第二カバー部１４２とを備えている。
第一カバー部１４１は、フレーム部材１５のチューナ基板１２の表面側の端縁に当接して配置され、端子１２３，１２４が露出している。この第一カバー部１４１は、延出部１５６の第一水平部１５６Ａ上に配置されるカバー部分１４１Ａと、このカバー部分１４１Ａよりもチューナ基板１２側（内側）にへこんだ凹部１４１Ｂとが形成されている。カバー部分１４１Ａには、第一水平部１５６Ａの孔１５６Ｄと同様の径寸法の円形状の孔１４１Ｄが形成されている。
凹部１４１Ｂは、端子１２３，１２４が露出する部分に相当する部分であり、この凹部１４１Ｂには複数の孔が形成されている。さらに、カバー部分１４１Ａ、凹部１４１Ｂにはチューナ基板１２側に延びる係合片１４３が形成されており、この係合片は、フレーム部材１５の各端面１５１〜１５４に係合する。
第二カバー部１４２は、チューナ基板１２の裏面側のフレーム部材１５の端縁に当接して配置されている。この第二カバー部１４２は、第一カバー部１４１と異なり、凹部は形成されておらず、扁平形状となっている。第二カバー部１４２には、孔１４１Ｄよりも径の大きな孔１４２Ｄが形成され、また、複数の孔も形成されている。なお、孔１４２Ｄの径の大きさは後述するボス部２２４が貫通可能な径となっている。また、第一カバー部１４１と同様に、チューナ基板１２側に延びる係合片１４４が形成されており、この係合片１４４は、フレーム部材１５の各端面１５１〜１５４に係合する。
以上のような第一カバー部１４１及び第二カバー部１４２はシールド材としての役割を果たしており、外部からの電磁波等による影響を防止するとともに、チューナ基板１２から放射される不要な電磁波が外部に漏れることも防止している。
また、カバー部材１４の第一カバー部１４１のカバー部分１４１Ａと、第二カバー部１４２と間の寸法、すなわち、カバー部材１４のコネクタ１１の接続方向に沿った最大高さ寸法は、コネクタ１１の取付部１１１Ｂの当接部１１１Ｄの接続方向（矢印Ｐ方向）と直交する方向の高さ寸法と略等しいものとなっている。
次に、図１，２及び図６を用いて回路基板２１、外装体２２について詳細に説明する。
回路基板２１は、チューナ基板１２で処理した信号を映像信号、音声信号として生成する処理を行う機能を有し、映像処理回路、音声処理回路等の処理部４０が実装されている。図２に示すように、この回路基板２１は、チューナユニット１のチューナ基板１２と略平行に配置されるとともに、第一カバー部１４１の凹部１４１Ｂに設置される。凹部１４１Ｂに配置された回路基板２１は、コネクタ１１の接続方向（矢印Ｐ方向）に直交する高さ寸法Ｌの範囲内に位置している。
なお、回路基板２１とチューナ基板１２とは、チューナ基板１２に設けられた端子１２３，１２４を回路基板２１に半田付けすることにより、接続されている。
また、回路基板２１には、図１及び図６の模式図にも示すように、地上波の信号の同調処理、増幅処理、周波数変換処理、復調処理等を行う地上波チューナ部３０が設けられ、これらの処理を行う回路が実装された基板（図示略）を備えた他のチューナユニット３が搭載されている。このチューナユニット３には、同軸ケーブルを接続するコネクタは設けられておらず、チューナユニット１のコネクタ１１Ｂに入力された信号がチューナユニット３に入力されることとなる。すなわち、チューナユニット１のコネクタ１１Ｂに入力された信号は、チューナ基板１２の回路及び端子１２４を介して回路基板２１に直接入力され、この回路基板２１からチューナユニット３に入力されることとなる。そして、このチューナユニット３で同調処理等が行われ、出力された信号は、回路基板２１の処理部４０で処理されて映像信号、音声信号として出力される。
外装体２２は、図２に示すように、チューナユニット１及び回路基板２１を収納するものであり、箱状の収納部２２１を備えている。収納部２２１は、平面矩形形状の底面部２２２と、この底面部２２２の周縁から立ち上がった立上部２２３とを備えており、底面部２２２と対向する面が開口されている。立上部２２３の底面部２２２の短辺に沿って設けられた部分には、コネクタ１１Ａ，１１Ｂを露出する切り欠き２２５が形成されている。
底面部２２２には、この底面部２２２から立上部２２３と同様に立ち上がり、チューナ基板１２、カバー部材１４と直交するボス部２２４が形成されている。このボス部２２４は中空の円柱状となっている。
外装体２２にチューナユニット１を取り付ける際には、このボス部２２４を上方に向け、ボス部２２４をカバー部材１４の第二カバー部１４２の孔１４２Ｄに挿入する。すると、ボス部２２４は、カバー部材１４の第二カバー部１４２の孔１４２Ｄ、チューナ基板１２の切り欠き部１２１を貫通して、チューナユニット１内部に挿入されることとなる。このボス部２２４の先端側からボス部２２４内部に固定部材、例えば、ビスＨを挿入する。このビスＨは、第一カバー部１４１の孔１４１Ｄ、フレーム部材１５の延出部１５６の孔１５６Ｄを貫通する。これにより、外装体２２とチューナユニット１が固定されることとなる。
このような本実施形態によれば、以下の効果を奏することができる。
（１）チューナ基板１２は、コネクタ１１の接続方向に直行する高さ寸法の範囲内に配置されているため、従来のように、チューナ基板に対し、コネクタを積み上げる構成に比べ、チューナユニット１の高さ寸法を低くすることができる。これにより、チューナユニット１、このチューナユニット１を備える受信装置２、さらには、この受信装置２を内蔵する電子機器５の薄型化を図ることができる。
（２）また、チューナユニット１の筐体１３の第一カバー部１４１のカバー部分１４１Ａ及び第二カバー部１４２間の寸法は、コネクタ１１の接続方向（矢印Ｐ方向）と直交する方向の高さ寸法Ｌと略等しいものとしたので、チューナユニット１の更なる薄型化を図ることができる。
（３）また、チューナユニット１の筐体１３のカバー部材１４の第一カバー部１４１には、凹部１４１Ｂが形成されており、この凹部１４１Ｂに回路基板２１を配置した際には、回路基板２１は、コネクタ１１の高さ寸法Ｌの範囲内に位置する。回路基板２１を設置しても、コネクタ１１の高さ寸法Ｌ以上にはならないため、受信装置２のさらなる薄型化を図ることができる。このように受信装置２は薄型化されるため、この受信装置２を備えた電子機器５を、例えばゲーム装置等のポータブル製品等とすることができる。
（４）さらに、チューナユニット１は、二つのコネクタ１１Ａ，１１Ｂを備えており、コネクタ１１Ａから入った信号は、チューナユニット１内のチューナ基板１２で処理され、コネクタ１１Ｂから入った信号は、回路基板２１に直接出力される構造となっている。そのため、コネクタ１１Ｂから入った信号を回路基板２１に実装された他のチューナユニット３に出力することができ、チューナユニット３のようなコネクタを持たないチューナユニットを使用することができる。
また、入力された信号が回路基板２１に直接出力されるコネクタ１１Ｂが予めチューナユニット１に設けられているので、コネクタを持たないチューナユニット３を使用する場合にも、信号入力用に新たにコネクタを設置する必要がなく、その手間を省くことができる。
（５）また、受信装置２は、二つのコネクタ１１Ａ，１１Ｂを有するチューナユニット１を備えており、コネクタ１１Ａから入った信号は、チューナユニット１内のチューナ基板１２で処理され、コネクタ１１Ｂから入った信号は、回路基板２１に直接出力され処理される構造であるため、一つの受信装置２において、２種類の異なる放送方式、例えば、デジタル衛星放送と、デジタル地上波放送の信号を処理することができる。
（６）さらに、受信装置２の回路基板２１に設けられた同調回路はチューナユニット３内に組み込まれ、ユニット化されているため、回路基板２１への実装をより簡単に行うことができる。
（７）また、本実施形態では、チューナユニット１を外装体２２に固定する際に、外装体２２のボス部２２４を上方に向け、このボス部２２４にカバー部材１４の第二カバー部１４２を貫通させ、さらに第一カバー部１４１側からこのボス部２２４にビスＨを挿入して、固定している。このように、第一カバー部１４１側（上方側から）からビスＨをボス部２２４に挿入する構成となっているので、固定作業を容易化することができる。
（８）また、ボス部２２４は第二カバー部１４２を貫通し、筐体１３内部に挿入されるため、外装体２２に対するチューナユニット１の取付位置を容易に決定することができる。
なお、本発明は前述の実施形態に限定されるものではなく、本発明の目的を達成できる範囲での変形、改良等は本発明に含まれるものである。
例えば、前記実施形態では、チューナユニット１は二つのコネクタ１１Ａ，１１Ｂを備え、コネクタ１１Ｂから入力された信号は、チューナ基板１２を介して回路基板２１に直接出力される構成としたが、このようなものに限らず、例えば、回路基板に分配回路を設け、回路基板で処理した信号をチューナ基板１２を介してコネクタ１１Ｂから出力してもよい。この場合には、チューナ基板１２に回路基板からの信号をコネクタ１１Ｂに直接出力するための回路及び端子を備えた経路を形成しておくことが必要となる。
このようにすれば、チューナユニット１に設けられた二つのコネクタ１１Ａ，１１Ｂのうち、一つのコネクタ１１Ｂを信号出力用のコネクタとして使用できるので、出力用のコネクタを回路基板２１に新たに設ける必要がない。そのため、受信装置の製造にかかる手間を省くことができる。
また、前記実施形態では、受信装置２の回路基板２１には、チューナユニット１のコネクタ１１Ｂから入力された信号を処理するチューナユニット３が設けられていたが、ユニット化されたものでなくてもよい。すなわち、コネクタ１１Ｂから入力された信号を処理する同調処理回路等を回路基板２１に直接実装してもよい。
さらに、前記実施形態では、受信装置２は、デジタル衛星放送及びデジタル地上波放送との２種類の放送を受信するものとしたが、３種類以上の放送を受信できるようにしてもよい。例えば、デジタル衛星放送及びデジタル地上波放送に加え、デジタルケーブル放送を受信するものとすることが考えられる。この場合には、チューナユニットに３つめのコネクタを設け、この３つめのコネクタから入力される信号を回路基板に設けられた新たなチューナユニットで処理する構成とすることができる。また、回路基板に３つめのコネクタが設けられた新たなチューナユニットを設置する構成としてもよい。
また、受信装置は、１種類の放送しか受信しない構成としてもよい。この場合には、チューナユニットのコネクタを一つにすればよい。
さらに、前記実施形態では、受信装置２は、映像信号、音声信号の双方を受信し、処理する構成としたが、一方の信号のみを受信する構成としてもよい。例えば、音声信号のみ（ＡＭ放送、ＦＭ放送の信号等）を受信するものとしてもよい。
また、前記実施形態では、受信装置２の他のコネクタ１１Ｂを、アンテナで受信したデジタル地上波用信号が入力されるものとしたが、このような構成には限られない。例えば、他のコネクタを電話回線等を接続するためのものとしてもよい。
さらに、前記実施形態では、受信装置２の外装体２２にボス部２２４を設けたが、このボス部２２４は形成されていなくてもよい。この場合には、チューナユニット１のフレーム部材１５の第一端面１５１と、外装体の立上部とを固定部材、例えばビス等により固定すればよい。
また、前記実施形態では、チューナユニット１の筐体１３の第一カバー部１１４１は、凹部１４１Ｂが形成されており、この凹部１４１Ｂに配置される回路基板２１はコネクタ１１の高さ寸法Ｌの範囲内に位置するとしたが、凹部に配置される回路基板２１がコネクタ１１の高さ寸法からはみだすものとなってもよい。この場合でも、カバー部１４１に凹部が形成されているので、凹部が形成されていない場合に比べ薄型化を図ることができる。
さらに、カバー部１４１に凹部１４１Ｂは形成されていなくてもよい。この場合であっても、チューナユニット１は従来のものに比べ、薄型化されているので、受信装置の薄型化を達成することができる。また、カバー部１４１に凹部１４１Ｂを形成する工程を省くことができるので、チューナユニット１、さらには受信装置２の製造を容易化することができる。
【産業上の利用可能性】  以上に述べたように、本発明のチューナユニット及びこのチューナユニットを備えた受信装置、電子機器は、デジタル衛星放送、デジタル地上波放送等の放送の受信に有用であり、薄型化が図れるため、ポータブル製品等に適用可能である。
【図１】
2004077689.tif 000003
【図２】
2004077689.tif 000004
【図３】
2004077689.tif 000005
【図４】
2004077689.tif 000006
【図５】
2004077689.tif 000007
【図６】
2004077689.tif 000008
【図７】
2004077689.tif 000009
【国際調査報告】
2004077689.tif 000010
2004077689.tif 000011
2004077689.tif 000012
2004077689.tif 000013